(57)【特許請求の範囲】
【請求項１】
高電圧発生部において発生させた高電圧の印加によりイオンを発生させる放電電極、発生したイオンをケースに設けた吹出し口から送出するための空気流を発生させるファン、並びに上記高電圧発生部及び上記ファンの駆動を制御するための制御部を備えたイオナイザにおいて、
ケース内に上記放電電極及びファンを備えたファンユニットと、他のケースにイオナイザの動作状態のインジケータ及び調整子を備えてなるコントロールユニットとを別体に形成して、それらのケースを相互に連結可能に構成し、
上記コントロールユニットにおいては、そのケースの前面側に、上記イオナイザの動作状態を表示するインジケータ及びイオナイザの動作状態を調整する調整子を設け、
上記ファンユニットとコントロールユニットとの連結面に、その両者の連結時に両者間での電力及び信号を送受するセパレートコネクタを設け、
上記ファンユニットとコントロールユニットのケースは、相互の前面側を一致させた連結状態と、相互の前後面を一致させた接続状態に転換可能とし、いずれの接続状態においても、両者のセパレートコネクタ相互の間で送受される電力及び信号が同じになるように、両セパレートコネクタの接続端子における電力・信号配列を左右対称にした、
ことを特徴とするイオナイザ。
【請求項２】
上記コントロールユニットのケースの前面側に、上記高電圧発生部及びファンの駆動のための外部電源に接続すると共に、各種電気的信号を外部との間で送受するための配線用コントロールコネクタを備えたことを特徴とする請求項１に記載のイオナイザ。
【請求項３】
上記コントロールユニットがファンユニットの基台を形成し、上記ファンユニットとコントロールユニットとをそれらのケースの連結面において連結することにより、ファンユニットがコントロールユニットからなる基台上に載置された状態になることを特徴とする請求項１または２に記載のイオナイザ。
【請求項４】
上記高電圧発生部及び上記制御部を、ファンユニットまたはコントロールユニットのいずれかのケース内に設けたことを特徴とする請求項１〜３のいずれかに記載のイオナイザ。
【請求項５】
上記コントロールユニットとファンユニットの連結面に設けたセパレートコネクタの相互間に接続して、それらの間において電力・信号を対応位置の端子に送受するセパレートケーブルを別設している、
ことを特徴とする請求項１〜４のいずれかに記載のイオナイザ。
【発明の詳細な説明】
【技術分野】
【０００１】
本発明は、ファンユニットとコントロールユニットからなるファンタイプのイオナイザに関するものである。
【背景技術】
【０００２】
従来から知られているファンタイプのイオナイザ（例えば、特許文献１参照）においては、実質的に単一のケース内に、高電圧の印加によりイオンを発生させる放電電極、発生したイオンを上記ケースの吹出し口から放出するための空気流を発生させるファン、上記放電電極に高電圧を印加するための高電圧発生部、並びに該高電圧発生部及び上記ファンの駆動を制御するための制御部を組み込んでいる。そして、通常は、上記空気流の吹出し口を設けたケースの前面に、イオナイザの動作状態を表示するインジケータ、イオナイザの動作状態を調整する調整子、上記高電圧発生部及びファンの駆動のための外部電源に接続すると共に各種電気的信号を外部との間で送受するための、各種配線用コントロールコネクタ等が設けられる。
【０００３】
しかしながら、このようにイオンを含む空気の吹出し口、各種インジケータ、各種調整子、各種配線用のコントロールコネクタがケースに固定的に設けられていると、このイオナイザの設置場所の周辺環境によっては、それを取り扱う作業者の視線をインジケータに向けることが困難で、インジケータの確認が適切に行われなかったり、各種調整子の操作が正確に行われなかったり、コントロールコネクタに対する配線接続が困難であったりすることがある。
【特許文献１】特開２００４−２５３１９２号公報
【発明の開示】
【発明が解決しようとする課題】
【０００４】
本発明の技術的課題は、イオンを含む空気の吹出し口に対し、各種インジケータ、各種調整子、各種配線用のコントロールコネクタの配置の向きを変更可能にして、イオナイザの使い勝手を改善することにある。
本発明の他の技術的課題は、上記イオナイザの使い勝手の改善を、簡単で低コストな手段で実現することにある。
【課題を解決するための手段】
【０００５】
上記課題を解決するため、本発明は、高電圧発生部において発生させた高電圧の印加によりイオンを発生させる放電電極、発生したイオンをケースに設けた吹出し口から送出するための空気流を発生させるファン、並びに上記高電圧発生部及び上記ファンの駆動を制御するための制御部を備えたイオナイザにおいて、ケース内に上記放電電極及びファンを備えたファンユニットと、他のケースにイオナイザの動作状態のインジケータ及び調整子を備えてなるコントロールユニットとを別体に形成して、それらのケースを相互に連結可能に構成し、上記コントロールユニットにおいては、そのケースの前面側に、上記イオナイザの動作状態を表示するインジケータ及びイオナイザの動作状態を調整する調整子を設け、上記ファンユニットとコントロールユニットとの連結面に、その両者の連結時に両者間での電力及び信号を送受するセパレートコネクタを設け、上記ファンユニットとコントロールユニットのケースは、相互の前面側を一致させた連結状態と、相互の前後面を一致させた接続状態に転換可能とし、いずれの接続状態においても、両者のセパレートコネクタ相互の間で送受される電力及び信号が同じになるように、両セパレートコネクタの接続端子における電力・信号配列を左右対称にしたことを特徴とするものである。
【０００６】
本発明に係るイオナイザの好ましい実施形態においては、上記コントロールユニットのケースの前面側に、上記高電圧発生部及びファンの駆動のための外部電源に接続すると共に、各種電気的信号を外部との間で送受するための配線用コントロールコネクタが設けられる。
また、上記コントロールユニットがファンユニットの基台を形成し、上記ファンユニットとコントロールユニットとをそれらのケースの連結面において連結することにより、ファンユニットがコントロールユニットからなる基台上に載置された状態になるものとして構成される。
【０００７】
上記本発明のイオナイザにおいては、上記高電圧発生部及び上記制御部を、ファンユニットまたはコントロールユニットのいずれかのケース内に設けることができる。また、上述したように、上記ファンユニットとコントロールユニットとを直接的に連結することなく、それらの連結面に設けたセパレートコネクタの相互間に接続して、それらの間において電力・信号を対応位置の端子に送受するセパレートケーブルを別設することもできる。
【０００８】
上記構成を有するイオナイザは、ファンユニットとコントロールユニットのケースを、相互の前面側を一致させた連結状態、あるいは、相互の前後面を一致させた接続状態に転換することができ、そのいずれの接続状態においても、両者のコネクタ相互間で送受される電力及び信号が同じになるので、ファンによるイオンを含む空気の吹出し口と、各種インジケータ、各種調整子、各種配線用のコントロールコネクタ等がケースに固定的に設けられている従来のイオナイザに比して、それを取り扱う作業者の視線を容易にインジケータに向け、あるいは、各種調整子の操作が容易に行われるようにコントロールユニットを配置することができる。
【発明の効果】
【０００９】
以上に詳述した本発明のイオナイザによれば、イオンを含む空気の吹出し口に対し、各種インジケータ、各種調整子、各種配線用のコントロールコネクタの配置の向きを変更できるので、イオナイザの使い勝手が改善され、しかもその使い勝手の改善を、簡単で低コストな手段で実現することができる。
【発明を実施するための最良の形態】
【００１０】
図１及び図２は、本発明に係るイオナイザの実施例を示し、このイオナイザは、ファンユニット１とコントロールユニット２とにより構成されている。
概略的には、上記ファンユニット１は、そのケース１０内に、高電圧発生部において発生させた高電圧の印加によりイオンを発生させる複数の放電電極１２と、発生したイオンを上記ケース１０に設けた吹出し口１１から送出するための空気流を発生させるファン１３を備えたものである。また、上記コントロールユニット２は、そのケース２０内に、上記高電圧発生部（図示省略）及びファン１３の駆動を制御するための制御部（図示省略）を備え、表面に後述のインジケータ２１等を備えたものである。放電電極１２に高電圧を印加するための高電圧発生部を形成する電気的回路、及びファン１３の駆動を制御する上記制御部は、ファンユニット１またはコントロールユニット２のいずれかのケース内に設けることができる。
【００１１】
上記ケース１０内に上記放電電極１２及びファン１３等を備えたファンユニット１（図３参照）と、上記ケース２０内に上記制御部等を備えたコントロールユニット２（図４〜図６）とは、相互に別体に形成して、それらのケース１０，２０を、図１及び図２に示すように相互に連結可能に構成している。
上記ファンユニット１は、図１〜図３から分かるように、ケース１０の前面側の空気流の吹出し口１１にフィンガガード１１ａを設け、ケース１０の背面側に設けた空気の吸込み口１４にも同様にフィンガガード１４ａを設け、また、ケース１０の前面上部には、放電電極１２を取り付けたカートリッジ１５の着脱用の指掛け部１５ａを露出させている。
更に、ケース１０の下面であるケース２０との連結面１６に、コントロールユニット２のケース２０との連結時に両者間での電力及び信号を送受するセパレートコネクタ１７を設けている。このセパレートコネクタ１７については、コントロールユニット２のケース２０の連結面３６に設けるセパレートコネクタ３７（図４参照）との関連において後述する。
【００１２】
一方、上記コントロールユニット２は、図１、図４及び図５等から分かるように、そのケース２０の前面側に、イオナイザの各種動作状態、例えば、電源表示、放電表示、ファン１３の異常表示、放電電極１２の汚れ状態の表示、正負のイオンのバランス状態の表示、各種異常の表示を行うインジケータ２１、及びイオナイザの動作状態、例えば、ファン１３の風量等の調整をする調整子を設けている。この調整子として、図示の実施例では、風量調整用ロータリスイッチ２２、電源スイッチ２３等を示しているが、その他の各種調整子を設けることができる。また、上記ケース２０の前面側には、上記高電圧発生部及びファン１３の駆動のための外部電源に接続すると共に、各種電気的信号を外部との間で送受するための配線用コントロールコネクタ２４を設けている。
【００１３】
更に、上記ケース２０の前面側には、外部センサ接続用のモジュラコネクタ２５、ＦＧ端子２６、ＡＣアダプタ接続用のＤＣジャック２７等を設けている。
なお、上記ケース２０の前面側とは、本来のケース２０の前面のみを意味するものではなく、前面側から調整子等を操作し、あるいは、前面側から容易に視認できる前面の近辺であって、前面と実質的に差異がない範囲を含むものと解すべきである。
【００１４】
上記コントロールユニット２におけるケース２０は、図１及び図２に示すように、ファンユニット１の基台を形成する形態に形成し、その上面にファンユニット１のケース１０との連結面３６を設けて、コントロールユニット２にファンユニット１を載置するときに、それらのケース１０，２０を連結面１６，３６において連接させることにより、ファンユニット１がコントロールユニット２からなる基台上に載置された状態になるようにしているが、その連接に際し、上記ファンユニット１とコントロールユニット２のケース１０，２０は、相互の前面側を一致させた連結状態と、相互の前後面を一致させた接続状態に転換可能とし、いずれの接続状態においても、両者のセパレートコネクタ１７，３７相互の間で送受される電力及び信号が同じになるように、両セパレートコネクタ１７、３７の接続端子１７ａ，３７ａにおける電力・信号配列を左右対称に設定している。
【００１５】
上記ファンユニット１とコントロールユニット２のケース１０，２０を連接するに当たり、その連接状態に両ケース１０，２０を固定するため、ファンユニット１のケース１０の両側端に、上記連結面１６に近接して連結用のボルト挿通孔１８を開設し、一方、コントロールユニット２０のケース２０上に突設したセパレートコネクタ３７設置用の凸部の両側端面には、上記ボルト挿通孔１８を通してボルト１９を螺挿するねじ孔３８を設け、該ねじ孔３８に対してボルト挿通孔１８を通して上記ボルト１９を螺挿することにより、上記ファンユニット１とコントロールユニット２のケース１０，２０を固定できるようにしている。この固定は、上記ケース１０，２０をいずれの向きに接続する場合においても使用できるものである。
【００１６】
また、上記ケース２０の背面側には、図２から分かるように、蓋をすることができる凹部２８内に、機能設定用のディップスイッチ２９ａ、及びイオンバランスを微調整するためのアジャスタ２９ｂを設けている。なお、図ではこの凹部２８を覆う蓋を省略している。
更に、上記ケース２０の背面側には、図２及び図６から分かるように、このコントロールユニット２のケース２０を、壁などに固定しているＤＩＮレール３０に取り付けるための取付部材３１，３２を付設している。上記一方の取付部材３１は、ケース２０に固定的に設けた鈎型をなし、ＤＩＮレール３０における一方のレール縁３０ａに係止させるものであり、また上記取付部材３２は、ＤＩＮレール３０における他方のレール縁３０ｂに係止する可動係止部材３２ａを備え、それを弾性的に上記レール縁３０ｂに係止させるように構成したものである。
【００１７】
上記コントロールユニット２におけるケース２０は、一般的には、上述したように、ファンユニット１の基台を形成する形態に形成し、ファンユニット１がコントロールユニット２からなる基台上に載置された状態になるようにしているが、コントロールユニット２を、上記ＤＩＮレール３０を用いてインジケータ２１を視認しやすい壁面等に固定することもでき、この場合には、ファンユニット１とコントロールユニット２の各連結面１６，３６に設けたセパレートコネクタ１７，３７の相互間を、図示を省略している別設のセパレートケーブルにより接続して、それらの間において電力・信号を対応位置の端子に送受させ、コントロールユニット２をファンユニット１とは無関係に任意位置に配設することができる。この場合に、ファンユニット１は適当なブラケットにより支持させることになる。
【００１８】
また、図２及び図５に示すように、コントロールユニット２のケース２０の下面には、リンクコネクタ４０を設けている。このリンクコネクタ４０は、上記コントロールコネクタ２４と同じ構造のもので、該コネクタ２４と並列結線したものであり、複数のイオナイザを並設して使用する場合や、上述したＤＩＮレール３０に複数のコントロールユニット２をまとめて取り付け、それらのコントロールユニット２とファンユニット１とを上記セパレートケーブルにより接続して使用する場合などに、隣接するイオナイザの一方におけるコントロールコネクタ２４と、他方におけるリンクコネクタ４０との間を、それぞれ上記セパレートケーブルで接続して、全体的に渡り配線とし、電力・信号を対応位置の端子に送受させるのに利用できるものである。このような渡り配線を行うと、一台のイオナイザの電源を入れると、他の全てのイオナイザも電源を入れた状態にすることができるものである。このリンクコネクタ４０は、それを不使用時に覆っておくカバーを設けるが、その図示は省略している。
【図面の簡単な説明】
【００１９】
【図１】本発明に係るイオナイザの実施例を示す前面側の斜視図である。
【図２】上記実施例における背面側の斜視図である。
【図３】上記実施例におけるファンユニットの下面の電気的コネクタを見せた斜視図である。
【図４】上記実施例におけるコントロールユニットの斜視図である。
【図５】上記実施例におけるコントロールユニットの下面の電気的コネクタを見せた斜視図である。
【図６】上記コントロールユニットのＤＩＮレールに対する取付態様を示す下面図である。
【符号の説明】
【００２０】
１    ファンユニット
２    コントロールユニット
１０    ケース
１１    吹出し口
１２    放電電極
１３    ファン
１６，３６    連結面
１７，３７    セパレートコネクタ
１７ａ，３７ａ    接続端子
２０    ケース
２１    インジケータ
２４    コントロールコネクタ
【図１】
0005110472.tif 000002
【図２】
0005110472.tif 000003
【図３】
0005110472.tif 000004
【図４】
0005110472.tif 000005
【図５】
0005110472.tif 000006
【図６】
0005110472.tif 000007